(57)【特許請求の範囲】
【請求項１】
体液試料を、生理学的状態を示すアナライトと結合する抗体と接触させ、該体液試料中の該抗体の結合を検出し、そして検出された結合を該生理学的状態と相関させる段階を含んでいる、該アナライトの存在について該体液試料を分析する方法において、血清試料を
【化１】
0004436972.tif 000023
と結合するが、
【化２】
0004436972.tif 000024
（上記式中、Ｋ−Ｋ−Ｋはヒドロキシリシルピリジノリン又はリシルピリジノリンであり、そして括弧は選択自由のアミノ酸残基を表す）とは結合しない抗体と接触させ、そして検出された結合を非鉱質化II型コラーゲンのインビボ吸収と相関させることを含んでいる方法。
【請求項２】
該血清試料を、Ｉ型コラーゲンのアミノ末端テロペプチド、Ｉ型コラーゲンのカルボキシ末端テロペプチド及び遊離リシルピリジノリン架橋のなかから選択される骨吸収マーカーと結合する第２の抗体と接触させ、そして該試料中の該第２の抗体の検出された結合を骨のインビボ吸収と相関させる段階を更に含んでいる請求項１に記載の方法。
【請求項３】
該血清試料を、III型コラーゲンのアミノ末端テロペプチド及びIII型コラーゲンのカルボキシ末端テロペプチドのなかから選択されるIII型コラーゲン吸収マーカーと結合する第２の抗体と接触させ、そして該試料中の該第２の抗体の検出された結合をIII型コラーゲンのインビボ吸収と相関させる段階を更に含んでいる請求項１に記載の方法。
【請求項４】
体液試料を、生理学的状態を示すアナライトと結合する抗体と接触させ、該体液試料中の該抗体の結合を検出し、そして検出された結合を該生理学的状態と相関させる段階を含んでいる、該アナライトの存在について該体液試料を分析する方法において、血清試料を
【化３】
0004436972.tif 000025
と結合するが、
【化４】
0004436972.tif 000026
（上記式中、Ｋ−Ｋ−Ｋはヒドロキシリシルピリジノリン又はリシルピリジノリンであり、そして括弧は選択自由のアミノ酸残基を表す）とは結合しない抗体と接触させ、そして検出された結合を鉱質化II型コラーゲンのインビボ吸収と相関させることを含んでいる方法。
【請求項５】
該血清試料を、Ｉ型コラーゲンのアミノ末端テロペプチド、Ｉ型コラーゲンのカルボキシ末端テロペプチド及び遊離リシルピリジノリン架橋のなかから選択される骨吸収マーカーと結合する第２の抗体と接触させ、そして該試料中の該第２の抗体の検出された結合を骨のインビボ吸収と相関させる段階を更に含んでいる請求項４に記載の方法。
【請求項６】
該血清試料を、III型コラーゲンのアミノ末端テロペプチド及びIII型コラーゲンのカルボキシ末端テロペプチドのなかから選択されるIII型コラーゲン吸収マーカーと結合する第２の抗体と接触させ、そして該試料中の該第２の抗体の検出された結合をIII型コラーゲンのインビボ吸収と相関させる段階を更に含んでいる請求項４に記載の方法。
【請求項７】
体液試料を、生理学的状態を示すアナライトと結合する抗体と接触させ、該体液試料中の該抗体の結合を検出し、そして検出された結合を該生理学的状態と相関させる段階を含んでいる、該アナライトの存在について体液試料を分析する方法において、尿試料を
【化５】
0004436972.tif 000027
と結合するが、
【化６】
0004436972.tif 000028
（上記式中、Ｋ−Ｋ−Ｋはヒドロキシリシルピリジノリン又はリシルピリジノリンであり、そして括弧は選択自由のアミノ酸残基を表す）とは結合しない抗体と接触させ、そして検出された結合を非鉱質化及び鉱質化の両方のII型コラーゲンのインビボ吸収と相関させることを含んでいる方法。
【請求項８】
該尿試料のクレアチニン含有量を測定し、そして該抗体の検出された結合対クレアチニン含有量の比を相関させて尿量と関係のないII型コラーゲンの総吸収の尿指数を得る段階を更に含んでいる請求項７に記載の方法。
【請求項９】
該尿試料を、Ｉ型コラーゲンのアミノ末端テロペプチド、Ｉ型コラーゲンのカルボキシ末端テロペプチド及び遊離リシルピリジノリン架橋のなかから選択される骨吸収マーカーと結合する第２の抗体と接触させ、そして該試料中の該第２の抗体の検出された結合を骨のインビボ吸収と相関させる段階を更に含んでいる請求項７に記載の方法。
【請求項１０】
該尿試料を、III型コラーゲンのアミノ末端テロペプチド及びIII型コラーゲンのカルボキシ末端テロペプチドのなかから選択されるIII型コラーゲン吸収マーカーと結合する第２の抗体と接触させ、そして該試料中の該第２の抗体の検出された結合をIII型コラーゲンのインビボ吸収と相関させる段階を更に含んでいる請求項７に記載の方法。
【請求項１１】
体液試料を、生理学的状態を示すアナライトと結合する抗体と接触させ、該体液試料中の該抗体の結合を検出し、そして検出された結合を該生理学的状態と相関させる段階を含んでいる、該アナライトの存在について体液試料を分析する方法において、血清試料を
【化７】
0004436972.tif 000029
と結合するが、
【化８】
0004436972.tif 000030
とは結合しない第１の抗体と接触させ、そして該血清試料を
【化９】
0004436972.tif 000031
と結合するが、
【化１０】
0004436972.tif 000032
（上記式中、Ｋ−Ｋ−Ｋはヒドロキシリシルピリジノリン又はリシルピリジノリンであり、そして括弧は選択自由のアミノ酸残基を表す）とは結合しない第２の抗体と接触させ、そして該第１及び第２の抗体の検出された総結合を鉱質化及び非鉱質化の両方のII型コラーゲンのインビボ吸収と相関させることを含んでいる方法。
【請求項１２】
該血清試料を、Ｉ型コラーゲンのアミノ末端テロペプチド、Ｉ型コラーゲンのカルボキシ末端テロペプチド及び遊離リシルピリジノリン架橋のなかから選択される骨吸収マーカーと結合する第３の抗体と接触させ、そして該試料中の該第３の抗体の検出された結合を骨のインビボ吸収と相関させる段階を更に含んでいる請求項１１に記載の方法。
【請求項１３】
該血清試料を、III型コラーゲンのアミノ末端テロペプチド及びIII型コラーゲンのカルボキシ末端テロペプチドのなかから選択されるIII型コラーゲン吸収マーカーと結合する第３の抗体と接触させ、そして該試料中の該第３の抗体の検出された結合をIII型コラーゲンのインビボ吸収と相関させる段階を更に含んでいる請求項１１に記載の方法。
【請求項１４】
体液試料を、生理学的状態を示すアナライトと結合する抗体と接触させ、該体液試料中の該抗体の結合を検出し、そして検出された結合を該生理学的状態と相関させる段階を含んでいる、該アナライトの存在について該体液試料を分析する方法において、血清試料を
【化１１】
0004436972.tif 000033
と結合するが、
【化１２】
0004436972.tif 000034
とは結合しない第１の抗体と接触させ、そして尿試料を
【化１３】
0004436972.tif 000035
と結合するが、
【化１４】
0004436972.tif 000036
（上記式中、Ｋ−Ｋ−Ｋはヒドロキシリシルピリジノリン又はリシルピリジノリンであり、そして括弧は選択自由のアミノ酸残基を表す）とは結合しない第２の抗体と接触させ、そして該第１の抗体の検出された結合を鉱質化II型コラーゲンのインビボ吸収と相関させ、そして該第２の抗体の検出された結合を鉱質化及び非鉱質化の両方のII型コラーゲンのインビボ吸収と相関させることを含んでいる方法。
【請求項１５】
該尿試料のクレアチニン含有量を測定し、そして該第２の抗体の検出された結合対該クレアチニン含有量の比を相関させて尿量と関係のないII型コラーゲンの総吸収の尿指数を得る段階を更に含んでいる請求項１４に記載の方法。
【請求項１６】
該血清及び尿試料のうちの少なくとも１つを、Ｉ型コラーゲンのアミノ末端テロペプチド、Ｉ型コラーゲンのカルボキシ末端テロペプチド及び遊離リシルピリジノリン架橋のなかから選択される骨吸収マーカーと結合する第３の抗体と接触させ、そして該試料中の該第３の抗体の検出された結合を骨のインビボ吸収と相関させる段階を更に含んでいる請求項１４に記載の方法。
【請求項１７】
該血清及び尿試料のうちの少なくとも１つを、III型コラーゲンのアミノ末端テロペプチド及びIII型コラーゲンのカルボキシ末端テロペプチドのなかから選択されるIII型コラーゲン吸収マーカーと結合する第３の抗体と接触させ、そして該試料中の該第３の抗体の検出された結合をIII型コラーゲンのインビボ吸収と相関させる段階を更に含んでいる請求項１４に記載の方法。
【発明の詳細な説明】
【０００１】
本出願は１９９８年６月１９日に出願された仮出願番号６０／０８９，８２３の一部継続出願である。
本発明は国立衛生研究所から授与された助成金ＡＲ３７３１８及びＡＲ３６７９４の１つ又はそれより多くの政府援助でなされた。米国政府は本発明に一定の権利を有している。
【０００２】
（発明の分野）
本発明はII型コラーゲン（軟骨）のインビボ（in vivo）吸収を示す架橋テロペプチドアナライト（分析物）を検出するアッセイに関しており、そして特に鉱質化していない軟骨と鉱質化した軟骨の吸収を測定し、識別する免疫アッセイ、並びに軟骨の総インビボ吸収を測定する免疫アッセイを提供する。
【０００３】
（発明の背景）
本出願人の先の米国特許第４，９７３，６６６号、第５，１４０，１０３号、第５，３００，４３４号、第５，３２０，９７０号、第５，８１７，７５５号及び第５，７０２，９０９号を参照し、そしてこれらは参照して本明細書に組み入れる。
コラーゲンのインビボ吸収を示すテロペプチドアナライトを検出する免疫アッセイが知られている。骨吸収を測定する上記のようなＩ型コラーゲンアッセイの例には：ＷＯ８９／０４４９１（Eyre）；ＷＯ８９／１２８２４（Robins）；ＷＯ９１／０８４７８（Eyre）；ＥＰ０５０５２１０Ａ２（Risteli & Risteli）；ＷＯ９２／２１６９８（Eyre）；ＷＯ９４／０３８１３（Naser等）；ＷＯ９４／１４８４４（Baylink）；ＷＯ９５／０４２８２（Naser等）；ＷＯ９５／０８１１５（Qvist & Bonde）；ＷＯ９６／１２１９３（Bonde & Qvist）；ＥＰ０７１８３０９Ａ１（Naser等）；及びＷＯ９６／３６６４５（Eyre等）が含まれる。
【０００４】
軟骨吸収を測定するII型コラーゲンテロペプチドアッセイの例には、ＷＯ９１／０８４７８（Eyre）；ＷＯ９５／０８１１５（Qvist & Bonde）；及びＷＯ９６／１２１９３（Bonde & Qvist）が含まれる。
III型コラーゲンテロペプチドアッセイの例には、ＷＯ８８／０８９８０
（Risteli & Risteli）及びＷＯ９１／０８４７８（Eyre）が含まれる。
【０００５】
以下の特許の開示も重要である：米国特許第４，６２８，０２７号（Gay）は、連結組織タンパク質のモノクローナル抗体を使用するインビトロ診断方法を開示している。米国特許第５，３１６，９１４号（Oshima等）は、肝臓疾患の診断に適用できるヒトIII、IV及びVI型コラーゲンの酵素サンドイッチ免疫アッセイを開示している。ＷＯ９４／１４０７０（Poole & Hollander）は、軟骨におけるコラーゲン開裂を測定する免疫アッセイを開示している。ＷＯ９４／１８５６３（Barrach等）は、関節炎に関連したII型コラーゲン由来のペプチドを検出するサンドイッチ免疫アッセイ方法を開示している。
【０００６】
本出願人の先の国際公開、ＷＯ９１／０８４７８が特に重要である。これは、II型コラーゲンの次の尿吸収産生物：
【０００７】
【化１５】
0004436972.tif 000002
【０００８】
（式中、括弧は選択自由のアミノ酸残基を示し、そしてＨｙｌ−Ｈｙｌ−Ｈｙｌとして表されている架橋残基はヒドロキシリシルピリジノリン（ＨＰ）、即ち種々の組織の成熟コラーゲン原繊維中に存在する天然の３−ヒドロキシピリジニウム残基である）を開示している。これらのアナライトはII型コラーゲンのＣ末端架橋テロペプチドドメインに由来するので、本明細書では集合的に「col2ＣＴx」と表される。
【０００９】
本発明の開示はまた、アミノ酸を略記する１文字記号も採用する；それ故、上記で示したアナライトのＧｌｕ−Ｈｙｌ−Ｇｌｙ−Ｐｒｏ−Ａｓｐ−（Ｐｒｏ）−（Ｌｅｕ）テロペプチド構成成分は、本明細書では以下、ＥＫＧＰＤ（配列番号１）、ＥＫＧＰＤＰ（配列番号２）及びＥＫＧＰＤＰＬ（配列番号３）と表される。更に、本明細書で使用するとき、記号「Ｋ」は線状ペプチドの場合におけるリシンを表すか、又はヒドロキシリシルピリジノリン（ＨＰ）及びリシルピリジノリン（ＬＰ）のなかから選択される架橋３−ヒドロキシピリジニウム残基を表す。
【００１０】
本出願人と同僚は最近の抄録中でもcol2ＣＴxを記載している：エア（Eyre）等、Bone Miner. Res. １１（Ｓ１）：Ｓ４１３、１９９６年は、ヒト尿中のＩ、II及びIII型コラーゲンから得られる架橋テロペプチドを記載している。
アトレィ（Atley）等、Arth. Rheum. ４０（９Ｓ）：５８４、１９９７年は、ＲＳ−１３０８３０、コラーゲナーゼ−３の選択的インヒビターが、ＩＬ−１αに曝露されたウシ軟骨からのヒドロキシプロリン及びメタロプロテイナーゼ（ＭＭＰ）特異的ネオエピトープ、col2ＣＴx、の放出を阻害することを報告している。
【００１１】
アトレィ等、Trans. Orthop. Res. Soc.、ニューオーリンズ、１９９８年は、軟骨II型コラーゲンからの免疫反応性テロペプチドのマトリックスメタロプロテイナーゼ介在性放出を報告している。この研究の目的は、α１（II）Ｃ−テロペプチドＥＫＧＰＤＰのドメインを認識するモノクローナル抗体（ｍＡｂ）２Ｂ４に基づく免疫アッセイが、軟骨内のＭＭＰ開裂産生物を測定するのかどうかを評価することであった。図１を参照すると、ｍＡｂ ２Ｂ４は合成ペプチドＡＦＡＧＬＧＰＲＥＫＧＰＤＰＬＱＹＭＲＡ（配列番号５）のマトリリシン消化インビトロ産生物ＡＦＡＧＬＧＰＲＥＫＧＰＤＰ（配列番号４）を認識するが、ＡＦＡＧＬＧＰＲＥＫＧＰＤＰＬＱ（配列番号６）、ＡＦＡＧＬＧＰＲＥＫＧＰＤＰＬＱＹ（配列番号７）、ＬＱＹＭＲＡ（配列番号８）又はＹＭＲＡ（配列番号９）は認識しない。これらの著者はまた、滑液、血清及び尿中におけるｍＡｂ ２Ｂ４免疫反応性の検出も認めた。彼等はこの２Ｂ４エピトープが、II型コラーゲンのインビボ吸収の有用なマーカーである可能性を有していると結論した。
【００１２】
モスコヴィッツ（Moskowitz）等、Amer. Coll. Rheum.、カリフォルニア州サンジエゴ、１９９８年１１月８〜１２日は、II型コラーゲンＣ−テロペプチド２Ｂ４エピトープが家族性骨関節症における軟骨吸収のマーカーであることを報告している。
アトレィ等、合同整形外科研究学会会議（Combined Orthopaedic Research Societies Meeting）、フランス国ビッテル、１９９８年９月２８〜３０日は、尿中のII型コラーゲン分解による架橋テロペプチド産生物（col2ＣＴx）を含む、骨及びコラーゲン分解の生化学的マーカーを議論している。
更に、報告によれば、リウマチ様関節炎の診断用マーカーとしてII型コラーゲンのＣ−テロペプチドに対するモノクローナル抗体がオステオメーター・バイオテク（Osteometer Biotech）Ａ／Ｓで開発中である。バイオ・ワールド・インターナショナル（Bio World International）、３頁、１９９７年１２月３日。
【００１３】
（発明の要約）
本発明は、II型コラーゲン（軟骨）のインビボ吸収を測定する改良されたアッセイを提供する。本主題の免疫アッセイは非鉱質化軟骨の吸収と鉱質化軟骨の吸収を識別し、そして総軟骨インビボ吸収を測定するのに有用である。これらの開示された免疫アッセイは、２つの抗体のうちの１つか又はそれらを組み合わせて使用する。第１の抗体はＥＫＧＰＤＰ（配列番号２）と結合するがＥＫＧＰＤＰＬＱ（配列番号１０）とは結合しない；その際、上記式中、Ｋの記号は好ましくは架橋３−ヒドロキシピリジニウム残基を表す。該第１の抗体と結合する血清中のアナライトを測定することによって、非鉱質化軟骨のインビボ吸収の指標が提供される。
第２の抗体はＥＫＧＰＤＰＬＱと結合するが、ＥＫＧＰＤＰとは結合しない；その際、上記式においても、Ｋの記号は好ましくは架橋３−ヒドロキシピリジニウム残基を表す。該第２の抗体と結合する血清中のアナライトを測定することによって、鉱質化軟骨のインビボ吸収の指標が提供される。
【００１４】
総（非鉱質化及び鉱質化）軟骨インビボ吸収の指標は、該第１の抗体と結合する尿中のアナライトを測定することによってか、又は該第１及び第２の抗体と結合する血清中の総アナライトを測定することによって提供される。
本発明の主題軟骨マーカーは、好ましくは、Ｉ型コラーゲンのアミノ末端テロペプチド、Ｉ型コラーゲンのカルボキシ末端テロペプチド及び遊離リシルピリジノリン（デオキシピリジノリン）架橋のなかから選択される、骨コラーゲン吸収マーカーと関連させて測定される。
【００１５】
（好ましい実施態様の詳細な説明）
モノクローナル抗体２Ｂ４は、配列ＥＫＧＰＤＰ中のＣ末端エピトープを認識する。この抗体ではＣ末端プロリンが結合していない（即ち、Ｐｒｏ−Ｃ００Ｈ）ことが必要であり、そしてこの抗体にとってはＫがその側鎖（イプシロン）アミノ基を介して誘導体化されている（例えば、架橋されている）ことが好ましい。このプロリンに対して余分のＣ末端アミノ酸が存在すると、このペプチドドメインに対するｍＡｂ ２Ｂ４の結合が妨げられる。
【００１６】
コラーゲナーゼ（ＭＭＰ１及びＭＭＰ１３）、ゼラチナーゼ（ＭＭＰ２及び９）、ストロメリシン（ＭＭＰ３）及びマトリリシン（ＭＭＰ７）を含む種々のマトリックスメタロプロテイナーゼ（ＭＭＰ）は、軟骨II型コラーゲン又は合成Ｃ−テロペプチドドメイン（ＡＦＡＧＬＧＰＲＥＫＧＰＤＰＬＱＹＭＲＡ）からｍＡｂ ２Ｂ４エピトープを産生させることができる。マトリリシン（ＭＭＰ７）は、組換え酵素を使用するインビトロ試験に基づけば、最も強力である。
【００１７】
しかしながら、カテプシンＫは２Ｂ４エピトープ放出に必要なＰ−Ｌ結合を開裂することができず、より長いフラグメント、ＥＫＧＰＤＰＬＱを産生する。このことは、カテプシンＫは本質的に破骨細胞だけが発現するプロテアーゼでありそして破骨細胞が骨を吸収するときに石灰化コラーゲンの吸収に関与する重要な酵素であるので、重要である。破骨細胞（又は非常に類似する細胞）は石灰化軟骨の分解にも関与する。石灰化軟骨は成長中の動物の成長板で一時的に形成され、そして成人骨格では全てのタイプの関節の骨と軟骨間の界面にも存在する。関節炎においては、吸収及び骨リモデリングが促進された結果、破骨細胞による石灰化軟骨の広範な吸収が生じるであろう。この過程は、２Ｂ４によって認識されないコラーゲンII型Ｃ−テロペプチド（ＥＫＧＰＤＰＬＱ）を血流中に放出することができる。
【００１８】
II型コラーゲンテロペプチドアナライトの尿中形態は、ＥＫＧＰＤＰ又はこれより小さいので、尿に放出される前に腎臓及び／又は肝臓内のプロテアーゼがＣ末端−ＬＱを除去している。それ故、免疫反応性col2ＣＴxの次の２つの起源を特定することができる：（１）ＭＭＰによってマトリックスコラーゲンを分解するように活性化された軟骨細胞による直接的産生、及び（２）石灰化軟骨の破骨細胞吸収による循環産生物からの腎臓及び／又は肝臓における二次的な産生。
【００１９】
関節炎（リウマチ様関節炎（ＲＡ）及び骨関節炎（ＯＡ））においては、ＭＭＰは関節軟骨のコラーゲン性マトリックス破壊における重要な作用物であることが知られている。両形態の関節炎においては、骨構造も大いに影響を受ける。ＲＡにおいては、骨粗鬆症は炎症性サイトカインの影響によって疾患過程自体から直接及びコルチコステロイド療法の副作用として、これらの両方で生じる通常の結果である。骨吸収の促進は関係のある関節で最も顕著であり、そしてこれには関節表面下の石灰化軟骨の除去が含まれよう。ＯＡにおいては、骨増殖体（骨副産物）がしばしば、関節病理学で突出した特徴となる。ここでもまた、骨増殖体成長の一部として石灰化軟骨が形成されそしてその後分解されよう（後者は破骨細胞によって）。それ故、関節炎の主要な両形態をモニターしそして管理するために、ＭＭＰ介在性及び破骨細胞介在性（カテプシンＫ）II型コラーゲン破壊を識別測定することが望ましいであろう。血液又は滑液中では、col2ＣＴx（ＥＫＧＰＤＰ）の測定は前者の活性を示すことができ、一方破骨細胞産生物（ＥＫＧＰＤＰＬＱ）の測定は後者の活性を示すことができる。加えて、尿col2ＣＴxは総吸収（非鉱質化及び鉱質化軟骨の両方）の指数を提供することができる。このような尿アッセイは好ましくは、尿試料のクレアチニン含有量を測定し、そして抗体の検出された結合対クレアチニン含有量の比を相関させて尿量に関係のない総II型コラーゲン吸収の尿指数を提供する段階を含んでいる。
【００２０】
本発明主題のＥＫＧＰＤＰ及びＥＫＧＰＤＰＬＱ免疫活性の識別測定は、個々の患者の疾患活性の評価で診断的価値を有している。総骨吸収活性を評価するＩ型コラーゲンマーカーの測定及び／又は他の非鉱質化連結組織破壊原因を評価するIII型コラーゲンマーカーの測定を組み合わせると、適切な療法を指示することができそしてその所望の効果をモニターすることができる。同様に、このような識別アッセイを使用して、新規な医薬品候補を同定し（インビトロでそして動物で）、そして標的組織及び細胞プロセスに与える所望の有益な効果を証明するための臨床試験における代用マーカーを提供することができる。
【００２１】
この目的のためのＩ型コラーゲン吸収マーカーの代表的なアッセイには、Ｉ型コラーゲンのアミノ末端テロペプチド（Osteomark（登録商標）、Ostex International、ワシントン州シアトル）、Ｉ型コラーゲンのカルボキシ末端テロペプチド（CrossLaps（登録商標）、Osteometer Biotech、デンマーク国ヘーレブ）及び遊離リシルピリジノリン架橋（Pyrilinks（登録商標）-D、Metra Biosystems、カリフォルニア州マウンテンビュー）が含まれる。
【００２２】
III型コラーゲン吸収マーカーの代表的なアッセイには、III型コラーゲンのアミノ末端テロペプチド及びIII型コラーゲンのカルボキシ末端テロペプチドが含まれる。このようなアッセイは米国特許第５，５３２，１６９号、米国特許第５，６４１，６８７号及び米国出願番号０８／９２３，１７５に開示されている。III型コラーゲン吸収マーカーを使用して、血管コラーゲン分解（アテローム性動脈硬化症）、肺組織分解（例えば、気腫及び他の破壊性肺疾患）、筋肉消耗、高齢者の脆弱症候群、肝疾患、甲状腺機能亢進、連結組織に与える糖尿病の二次的影響、並びに非鉱質化連結組織破壊を促進する他の炎症性及び感染性状態を評価することができる。
【００２３】
かくして、本発明は、第１の実施態様では、或る生理学的状態を示すアナライトの存在について体液試料を分析する改良された方法を提供し、この方法は該体液試料を該アナライトと結合する抗体と接触させ、この体液試料中の抗体の結合を検出し、そして検出された結合を該生理学的状態と相関させる段階を含んでおり、そして該改良方法は血清試料を
【００２４】
【化１６】
0004436972.tif 000003
と結合するが
【００２５】
【化１７】
0004436972.tif 000004
【００２６】
（上記式中、Ｋ−Ｋ−Ｋはヒドロキシリシルピリジノリン又はリシルピリジノリンであり、そして括弧は選択自由のアミノ酸残基を表す）とは結合しない抗体と接触させ、そして検出された結合を非鉱質化II型コラーゲンのインビボ吸収と相関させることを含んでいる。
【００２７】
第２の実施態様では、本発明は或る生理学的状態を示すアナライトの存在について体液試料を分析する改良された方法を提供し、この方法は該体液試料を該アナライトと結合する抗体と接触させ、この体液試料中の抗体の結合を検出し、そして検出された結合を該生理学的状態と相関させる段階を含んでおり、そして該改良方法は血清試料を
【００２８】
【化１８】
0004436972.tif 000005
と結合するが、
【００２９】
【化１９】
0004436972.tif 000006
【００３０】
（上記式中、Ｋ−Ｋ−Ｋはヒドロキシリシルピリジノリン又はリシルピリジノリンであり、そして括弧は選択自由のアミノ酸残基を表す）とは結合しない抗体と接触させ、そして検出された結合を鉱質化II型コラーゲンのインビボ吸収と相関させることを含んでいる。
【００３１】
第３の実施態様では、本発明は或る生理学的状態を示すアナライトの存在について体液試料を分析する改良された方法を提供し、この方法は該体液試料を該アナライトと結合する抗体と接触させ、この体液試料中の抗体の結合を検出し、そして検出された結合を該生理学的状態と相関させる段階を含んでおり、そして該改良方法は尿試料を
【００３２】
【化２０】
0004436972.tif 000007
と結合するが、
【００３３】
【化２１】
0004436972.tif 000008
【００３４】
（上記式中、Ｋ−Ｋ−Ｋはヒドロキシリシルピリジノリン又はリシルピリジノリンであり、そして括弧は選択自由のアミノ酸残基を表す）とは結合しない抗体と接触させ、そして検出された結合を非鉱質化と鉱質化の両方のII型コラーゲンのインビボ吸収と相関させることを含んでいる。
【００３５】
第４の実施態様では、本発明は或る生理学的状態を示すアナライトの存在について体液試料を分析する改良された方法を提供し、この方法は該体液試料を該アナライトと結合する抗体と接触させ、この体液試料中の抗体の結合を検出し、そして検出された結合を該生理学的状態と相関させる段階を含んでおり、そして該改良方法は血清試料を
【００３６】
【化２２】
0004436972.tif 000009
と結合するが、
【００３７】
【化２３】
0004436972.tif 000010
とは結合しない第１の抗体と接触させ、そして該血清試料を
【００３８】
【化２４】
0004436972.tif 000011
と結合するが
【００３９】
【化２５】
0004436972.tif 000012
【００４０】
（上記式中、Ｋ−Ｋ−Ｋはヒドロキシリシルピリジノリン又はリシルピリジノリンであり、そして括弧は選択自由のアミノ酸残基を表す）とは結合しない第２の抗体と接触させ、そして該第１及び第２の抗体の検出された総結合を鉱質化及び非鉱質化の両方のII型コラーゲンのインビボ吸収と相関させることを含んでいる。
【００４１】
第５の実施態様では、本発明は或る生理学的状態を示すアナライトの存在について体液試料を分析する改良された方法を提供し、この方法は該体液試料を該アナライトと結合する抗体と接触させ、この体液試料中の抗体の結合を検出し、そして検出された結合を該生理学的状態と相関させる段階を含んでおり、そして該改良方法は血清試料を
【００４２】
【化２６】
0004436972.tif 000013
と結合するが、
【００４３】
【化２７】
0004436972.tif 000014
とは結合しない第１の抗体と接触させ、そして尿試料を
【００４４】
【化２８】
0004436972.tif 000015
と結合するが
【００４５】
【化２９】
0004436972.tif 000016
【００４６】
（上記式中、Ｋ−Ｋ−Ｋはヒドロキシリシルピリジノリン又はリシルピリジノリンであり、そして括弧は選択自由のアミノ酸残基を表す）とは結合しない第２の抗体と接触させ、そして該第１の抗体の検出された結合を鉱質化II型コラーゲンのインビボ吸収と相関させ、そして該第２の抗体の検出された結合を鉱質化及び非鉱質化の両方のII型コラーゲンのインビボ吸収と相関させることを含んでいる。
【００４７】
本明細書中の用語「抗体」は、ポリクローナル抗体、モノクローナル抗体及びこれらの抗原結合性フラグメントを包含するものである。このようなＥＫＧＰＤＰＬＱ結合性及びＥＫＧＰＤ（Ｐ）（Ｌ）結合性抗体は、当該技術分野において周知の標準的な方法で産生させることができる。代表的なプロトコールは次のとおりである。
【００４８】
ＥＫＧＰＤＰＬＱハイブリドーマの調製：雌ＲＢＦ／ＤｎＪマウスに、完全フロイントアジュバントと、グルタルアルデヒドを介して担体タンパク質キーホールリンペット・ヘマシアニン（ＫＬＨ）に架橋したＥＫＧＰＤＰＬＱ合成ペプチド（ＫＬＨ−ＥＫＧＰＤＰＬＱ）とのエマルジョンを腹腔内に（ｉｐ）注射する。１カ月後、ＫＬＨ−ＥＫＧＰＤＰＬＱのブースター注射を不完全フロイントアジュバントとのエマルジョンでｉｐ投与する。概ね８週間後、マウスを屠殺し、そして脾細胞を、ポリエチレングリコールによって、ＦＯＸ−ＮＹマウスミエローマ細胞系（ＡＴＣＣ ＣＲＬ−１７３２）と融合させる。融合細胞は、アデニン、アミノプテリン及びチミジン（ＡＡＴ）を含有する選択培地の９６ウェルのプレート中で増殖させる。
【００４９】
概ね１週間後、融合ハイブリドーマコロニー培養上清液は、グルタルアルデヒドを介してウシ血清アルブミンに架橋したＥＫＧＰＤＰＬＱ合成ペプチド（ＢＳＡ−ＥＫＧＰＤＰＬＱ）との反応性について、ＥＬＩＳＡ法で試験する。ＢＳＡ−ＥＫＧＰＤＰＬＱと反応性の抗体を産生するハイブリドーマコロニーは、他の合成ペプチド配列に対するＥＬＩＳＡ法における反応の特異性について二次的に試験する。試験したものの中には、グルタルアルデヒドを介してＢＳＡに架橋したＥＫＧＰＤＰ合成ペプチド（ＢＳＡ−ＥＫＧＰＤＰ）がある。ＢＳＡ−ＥＫＧＰＤＰＬＱとの反応が陽性であり、そしてＢＳＡ−ＥＫＧＰＤＰとの反応が陰性であるハイブリドーマコロニーを凍結保存する。候補ハイブリドーマは、限界希釈法でモノクローン性になるまでクローン化する。
競合ＥＬＩＳＡ法では、可溶性ＢＳＡ−ＥＫＧＰＤＰＬＱだけでなくヒト血清標本も、候補抗体に関して固相ＢＳＡ−ＥＫＧＰＤＰＬＱと競合することが見られる。
【００５０】
免疫化及びスクリーニング目的のために、II型コラーゲンのカテプシンＫ消化物を調製することもできる。プロテオグリカンは、タンパク質変性剤、例えば４ＭグアニジンＨＣｌを使用してヒト関節軟骨の組織試料から抽出される。残渣を水で洗浄し、そして組換えカテプシンＫで消化する（３７℃、ｐＨ５．８）。この消化物を高速液体クロマトグラフィーで、例えば逆相でフラクション化し、そしてピリジノリン架橋を含有するフラクションは３９０ｎｍでの蛍光放射（２９７ｎｍ励起）でモニターする。配列ＥＫＧＰＤＰＬＱの架橋Ｃ−テロペプチドを含有する蛍光フラクションは、Ｎ末端配列分析で同定される。このフラクションはブースター注射、スクリーニング目的及び抗体特異性確認用に使用することができる。
【００５１】
本発明の主題抗体は、当該技術分野で良く知られている多種多様な免疫アッセイフォーマットで使用することができる。例えば、ハーロー（Harlow）及びレーン（Lane）、抗体（Antibodies）：実験室マニュアル（Laboratory Manual）、コールド・スプリング・ハーバー・ラボラトリー（Cold Spring Harbor Laboratory）、５５３〜６１２頁、１９８８年；免疫アッセイの原理と実務（Principles and Practice of Immunoassay）、プライス（Price）及びニューマン（Newman）（編集）、ストックトン・プレス（Stockton Press）、１９９１年；並びに免疫アッセイ（Immunoassay）、ダイアマンディス（Diamandis）及びクリストポウロス（Christopoulos）（編集）、アカデミック・プレス（Academic Press）、１９９６年、参照。
【００５２】
本特許出願で引用した先行する科学刊行物及び特許刊行物の開示は、全て参照して本明細書に組み入れる。
本発明は好ましい実施態様に関連して記載したが、上記明細書を読んだ後に通常の技倆を有する者は、本明細書に述べられている主題に対して種々の変更、均等物置換及び改変を行うことができよう。それ故、本発明は本明細書で特定的に記載されている方法以外の方法で実施することができる。それ故、特許によって本発明に付与される保護は、特許請求の範囲及びそれらの均等物によってしか限定されないことが意図されている。
【配列表】
0004436972.tif 000017
0004436972.tif 000018
0004436972.tif 000019
0004436972.tif 000020
0004436972.tif 000021
0004436972.tif 000022